(57)【特許請求の範囲】
【請求項１】
洗濯機本体内に収められた水槽と、前記水槽内に洗濯脱水回転可能に設けた回転槽と、前記水槽内の水を前記洗濯機本体の排水ホース導出部から排出する排水ホースとを備え、前記排水ホースは、前記洗濯機本体の前記排水ホース導出部を介して前記水槽の内底部に連通し、他端が前記洗濯機本体より機外に導出されて蓋体を有する容器状のリント捕獲箱の後面の入水口に通水可能に接続すると共に、前記後面にリント捕獲後の排水用の出水口を有し、前記リント捕獲箱の幅寸法は前記排水ホースの外径寸法とほぼ同じ幅の寸法とし、前記リント捕獲箱は、前記洗濯機本体の前後方向で前側に位置する構成とした洗濯機。
【請求項２】
リント捕獲箱は、入水口の対面側に蓋体の開閉機構の操作部を構成した請求項１記載の洗濯機。
【請求項３】
排水ホースは、入水口側の排水ホースとリント捕獲箱の長さの和は洗濯機本体の排水ホース導出部から前記洗濯機本体前面までの距離とほぼ同じ長さに調節可能である請求項１または２のいずれか１項に記載の洗濯機。
【請求項４】
排水ホースは、入水口側の排水ホースと出水口側の出水側排水ホースは蛇腹部を構成し、前記蛇腹部で前記排水ホースの長手方向に伸縮自在とした請求項１〜３のいずれか１項に記載の洗濯機。
【請求項５】
リント捕獲箱は、蓋体の長辺には外側から前記リント捕獲箱を抱え込む変形防止リブを設けた請求項１〜４のいずれか１項に記載の洗濯機。
【発明の詳細な説明】
【技術分野】
【０００１】
本発明は、リント捕獲手段を備えた洗濯機に関するものである。
【背景技術】
【０００２】
従来、洗濯、すすぎ、脱水、及び乾燥運転時に発生するリントを効果的に捕獲する手段を洗濯機本体内に設けることが技術的に困難である場合に、洗濯機本体外に導出された排水ホース途中にリント捕獲箱を設ける手段が考えられている（例えば特許文献１参照）。
【０００３】
図５は、特許文献１に記載された従来のリント捕獲箱を備えた洗濯機の正面外観図、図６は、同洗濯機の要部側面図である。
【０００４】
図５において本体２１の右側面下方に機外排水ホース４６の途中にリント捕獲箱４９を本体２１から分離して配置する。
【０００５】
図６の側面において、機外排水ホース４６は本体２１の排水ホース導出部４７およびリント捕獲箱４９の入水口５０に接続される第１のホース部４６ａと、リント捕獲箱４９の出水口５１に接続された下流側である第２のホース部４６ｂとに分離され、リント捕獲箱４９は機外排水ホース４６の中間に配される。
【０００６】
排水中に含まれるリントは、排水と共に第１のホース部４６ａからリント捕獲箱４９内に流入し内部で捕獲され、浄化された排水が第２のホース部４６ｂより機外に排出される。
【０００７】
リント捕獲箱４９の正面側から見た幅寸法Ｈは、図５に示すように排水ホースの外径寸法Ｋより広く、また、第１のホース部４６ａに接続するリント捕獲箱４９の入水口５０と、第２のホース部４６ｂを接続する出水口５１とは、リント捕獲箱４９の前後に配管された対面構造にして、矢印４８に示す方向に排水を流し、内部のフィルタ６１でリントを捕獲する構造となっている。
【特許文献１】特開２００２−１５９７９０号公報
【発明の開示】
【発明が解決しようとする課題】
【０００８】
しかしながら、前記従来の構成では、リント捕獲箱は洗濯機本体の設置スペースの横に、リント捕獲箱を置く幅（図５で寸法Ｈ）のスペースが必要であり、防水パンによってはリント捕獲箱を防水パンに収納できない場合があった。
【０００９】
また、排水ホースの長さに加えてリント捕獲箱の長さが加わるため、狭いスペースでは排水ホースはＵ字状に無理に引き回せねばならず、Ｖ字に折れやすく排水不能になる危険性もあった。
【００１０】
また、従来のリント捕獲箱は図６に示すように、入水口５０の対面側に出水口５１を設けていたためリント捕獲箱は２本の排水ホースの途中に配置され、リント捕獲箱は洗濯機本体の奥まった位置に設置される事が多く、回収したリントを除去する作業が困難であった。
【００１１】
本発明は上記課題を解決するものであり、リント捕獲箱の設置のために特別なスペースを確保する必要をなくし、捕獲したリントの回収作業をしやすく、排水ホースの引き回しでの折れ曲がり等の無いようにする事を目的とする。
【課題を解決するための手段】
【００１２】
上記の目的を達成するために、本発明の洗濯機は、洗濯機本体内に収められた水槽と、前記水槽内に洗濯脱水回転可能に設けた回転槽と、前記水槽内の水を前記洗濯機本体の排水ホース導出部から排出する排水ホースとを備え、前記排水ホースは、前記洗濯機本体の前記排水ホース導出部を介して前記水槽の内底部に連通し、他端が前記洗濯機本体より機外に導出されて蓋体を有する容器状のリント捕獲箱の後面の入水口に通水可能に接続すると共に、前記後面にリント捕獲後の排水用の出水口を有し、前記リント捕獲箱の幅寸法は前記排水ホースの外径寸法とほぼ同じ幅の寸法とし、前記リント捕獲箱は、前記洗濯機本体の前後方向で前側に位置する構成としたものである。
【００１３】
これによって、リント捕獲箱は排水ホースの外径寸法とほぼ同じ幅の寸法なので排水ホースを配管するスペース内でリント捕獲箱を収納することができると共に、洗濯機前方で回収したリントを除去できるので、捕獲したリントの回収作業をしやすくなる。
【００１４】
また、リント捕獲箱は、入水口および出水口の対面側に蓋体の開閉機構を構成したものである。
【００１５】
これによって、リント捕獲箱の蓋体の開閉機構は、洗濯機本体の前面に配置することが可能となり回収したリントを除去する作業も容易になる。
【発明の効果】
【００１６】
本発明の洗濯機は、リント捕獲箱の設置のために特別なスペースを確保する必要をなくし、捕獲したリントの回収作業をしやすくできる。
【発明を実施するための最良の形態】
【００１７】
第１の発明は、洗濯機本体内に収められた水槽と、前記水槽内に洗濯脱水回転可能に設けた回転槽と、前記水槽内の水を前記洗濯機本体の排水ホース導出部から排出する排水ホースとを備え、前記排水ホースは、前記洗濯機本体の前記排水ホース導出部を介して前記水槽の内底部に連通し、他端が前記洗濯機本体より機外に導出されて蓋体を有する容器状のリント捕獲箱の後面の入水口に通水可能に接続すると共に、前記後面にリント捕獲後の排水用の出水口を有し、前記リント捕獲箱の幅寸法は前記排水ホースの外径寸法とほぼ同じ幅の寸法とし、前記リント捕獲箱は、前記洗濯機本体の前後方向で前側に位置する構成としたことにより、排水ホースを配管設置するスペース内でリント捕獲箱を収納することができるので、設置のために特別なスペースを確保する必要がなく使い勝手の良いリント捕獲箱機能を提供できる。
【００１８】
また、リント捕獲箱は排水ホースの先端に配置することができ、また排水ホースは無理なく引き回すことが可能となる。
【００１９】
第２の発明は、特に第１の発明のリント捕獲箱を、入水口の対面側に蓋体の開閉機構の操作部を構成したことにより、洗濯機本体の前面にリント捕獲箱とその蓋体の開閉機構が配置でき、洗濯機前方で回収したリントを除去できるので作業性が向上する。
【００２０】
第３の発明は、特に第１または第２の発明の排水ホースを、入水口側の排水ホースとリント捕獲箱の長さの和は洗濯機本体の排水ホース導出部から前記洗濯機本体前面までの距離とほぼ同じ長さに調節可能であるようにしたことにより、洗濯機本体の前面にリント捕獲箱と蓋体の開閉機構の操作部が配置でき、回収したリントを除去する作業が容易になる。
【００２１】
第４の発明は、特に第１〜３のいずれか１つの発明の排水ホースを、入水口側の排水ホ
ースと出水口側の出水側排水ホースは蛇腹部を構成し、前記蛇腹部で前記排水ホースの長手方向に伸縮自在としたことにより、リント捕獲箱の設置状態に自由度が増え、排水口の位置にかかわらず狭いスペースでも設置可能となる。
【００２２】
第５の発明は、特に第１〜４のいずれか１つの発明のリント捕獲箱を、蓋体の長辺には外側から前記リント捕獲箱を抱え込む変形防止リブを設けたことにより、高水圧がリント捕獲箱内部にかかった場合でもリント捕獲箱の長辺部の変形を防止でき、水漏れを未然に防ぐことができる。
【００２３】
（実施の形態１）
図１は、本発明の実施の形態１における洗濯機の構成図、図２は、同洗濯機のリント捕獲箱部分の外観構成図、図３は、同洗濯機の排水ホースの引き回し平面図であり、図４は、同洗濯機のリント捕獲箱の分解斜視図である。
【００２４】
図１において、図１（ａ）は、洗濯機本体１の正面から、図１（ｂ）はリント捕獲箱６側の設置側面を見たもので、図１（ｂ）において、洗濯機本体１内に収められた水槽２と、水槽２内に回転可能に設けた回転槽３とを備え、この回転槽３内にて洗濯運転を行う。
【００２５】
排水ホース４は、一端が水槽２の内底部２ａに連通し、他端は洗濯機本体１の排水ホース導出部１０を介してリント捕獲箱６の入水口７に通水可能に接続される。
【００２６】
リント捕獲箱６は、全体形状を幅薄く図１（ａ）に示した幅寸法Ｂに形成し、この幅寸法Ｂを排水ホース４の外形寸法Ａとほぼ同寸法になるように設定している。
【００２７】
リント捕獲箱６には出水口８を設けて、出水側排水ホース１２を接続し、リント捕獲箱６内部でリント、異物等を除去した排水を出水側排水ホース１２から設置床面の排水口１４に排出するように構成し、また内部に溜ったリント等を取り出し排除する為の蓋体５を上部に開閉自在に配する。
【００２８】
リント捕獲箱６の構成は、入水口７およびリント捕獲後の排水用の出水口８を同一の側面６ａに、かつ入水口７が出水口８に対し上方になるように構成し、入水口７から流入した排水は落差により下方の出水口８に流れる。また、入水口７と反対側の一方の側面６ｂ側には、蓋体５の開閉機構の操作部９を配置する。
【００２９】
図２において、排水ホース４とリント捕獲箱６との前後方向の位置関連を説明すると、入水口７側に接続した排水ホース４の排水ホース導出部１０からリント捕獲箱６までの長さＣと、リント捕獲箱６の長さＤの和は、洗濯機本体１の排水ホース導出部１０から洗濯機本体前面１１までの距離Ｅとほぼ同じ長さになるようにしている（即ちＣ＋Ｄ≒Ｅ）。
【００３０】
これは、リント捕獲箱６の前方位置（図２で左端）が、洗濯機本体前面１１に近似した位置になることである。
【００３１】
また、排水ホース４および出水側排水ホース１２は、可撓性のある樹脂材料で製作し、それぞれの中心部を屈曲性と伸縮性を有する蛇腹部４ａ、１２ａを形成し、リント捕獲箱６の前後方向の位置を変化できるようにしている。
【００３２】
図３の排水ホースの引き回し平面図において、リント捕獲箱６を洗濯機本体１の右側面前方に配置した場合、設置床面の排水口１４の位置が、設置場所により例えば１４ａ、１４ｂ、１４ｃ、と変化した場合に、排水ホース４および出水側排水ホース１２の屈曲性、または伸縮性により、折れ曲がり無く配管する。
【００３３】
図４において、リント捕獲箱６の構成を説明すると、平面形状が細長の長方形状のリント捕獲箱６の入水口７および出水口８側の側面６ａ上方開口縁部に、蓋体５の開閉軸となる蝶番部１７を設け、一方の側面６ｂ側上方開口縁部に、蓋体５に係合する開閉機構の操作部９を配し、開閉機構の操作部９の蓋体５との係着を外して、リント捕獲箱６の内部に配したフィルタ体１６を取り出して、溜ったリント等を除去する。
【００３４】
また、リント捕獲箱６内方には洗濯水が充満する構成であるため、平面形状が細長の長方形状のリント捕獲箱６は、その長手方向の側面６ｃ内部からの水圧により外方に変形しやすい。上記長手方向の側壁６ｃの上縁部６ｄの位置を内方に抱え込み規制するように、蓋体５の長手方向長辺５ａに変形防止リブ１３を一体形成して、側壁６ｃおよび上縁部６ｄの変形を防止する。
【００３５】
以上のように構成された洗濯機のリント捕獲構成について以下その動作、作用を説明する。
【００３６】
リント捕獲箱６の幅寸法Ｂは、排水ホース４の外径寸法Ａとほぼ同じ幅寸法なので排水ホース４、または出水側排水ホース１２の引き回せるスペース内でリント捕獲箱６を収納することができ、従来の防水パンに収納することができるので、設置のために特別なスペースを確保する必要がなく使い勝手が優れている。
【００３７】
また、リント捕獲箱６は、同一の側面に入水口７と出水口８を構成したことによりリント捕獲箱６は排水ホース４の先端に配置し、洗濯機本体１の前面に近似して配置することができる。そしてリント捕獲箱６は、入水口７の対面側に蓋体５の開閉機構の操作部９を配置することにより、蓋体５の操作性が洗濯機本体１前方から可能となり、著しく操作性が向上する。
【００３８】
特に、入水口７側の排水ホース４の長さＣと、リント捕獲箱６の長さＤの和は洗濯機本体１の排水ホース導出部１０から洗濯機本体前面１１までの距離Ｅとほぼ同じ長さに調節可能であるので、洗濯機本体前面１１と同位置にリント捕獲箱６とその蓋体の開閉機構の操作部９が配置でき、回収したリントを除去する作業が容易になる。
【００３９】
また、入水口７側の排水ホース４と出水口８側の出水側排水ホース１２は、その蛇腹部４ａ、１２ａが屈曲性および伸縮性自在を有しているので、リント捕獲箱６の設置状態に自由度が増え、狭いスペースでも図３に示すように排水口１４の位置にかかわらず設置可能となる。
【００４０】
また、蓋体５の長辺５ａには外側からリント捕獲箱６を抱え込む変形防止リブ１３を設けることによって、リント捕獲箱６が長方形となり高水圧がリント捕獲箱６内部にかかった場合でもリント捕獲箱６の長辺部６ａの変形を防止でき、水漏れを未然に防ぐことができる。
【００４１】
以上のように、本実施の形態１においては、リント捕獲箱を排水ホースの外径寸法とほぼ同じ幅の寸法に構成したので排水ホースの引き回せるスペース内でリント捕獲箱を収納することができる。また、リント捕獲箱は、同一の側面に入水口と出水口を構成し、入水口および出水口の対面側に蓋体の開閉機構を構成したので、リント捕獲箱の蓋体の開閉機構は、洗濯機本体の前面に配置することが可能となり回収したリントを除去する作業性が向上する。
【図面の簡単な説明】
【００４２】
【図１】本発明の実施の形態１における洗濯機の構成図
【図２】同洗濯機のリント捕獲箱部分の外観構成図
【図３】同洗濯機の排水ホースの引き回し平面図
【図４】同洗濯機のリント捕獲箱の分解斜視図
【図５】従来の洗濯機のリント捕獲箱を備えた正面概観図
【図６】同洗濯機の要部側面図
【符号の説明】
【００４３】
１      洗濯機本体
２      水槽
２ａ    内底部
３      回転槽
４      排水ホース
４ａ    蛇腹部
５      蓋体
６      リント捕獲箱
７      入水口
８      出水口
９      開閉機構の操作部
１０    排水ホース導出部
１２    出水側排水ホース
１２ａ  蛇腹部
１３    変形防止リブ
【図１】
0004784612.tif 000002
【図２】
0004784612.tif 000003
【図３】
0004784612.tif 000004
【図４】
0004784612.tif 000005
【図５】
0004784612.tif 000006
【図６】
0004784612.tif 000007